(57)【特許請求の範囲】
【請求項１】
複数の現像手段を備え、色濃度見本と比較するための標準濃度原稿を印字可能なカラー画像形成装置の標準濃度原稿印字方法において、標準濃度原稿上に２以上の現像装置による混色部位を形成した状態で印字し、
前記混色部位は、各色の同心円の、複数の濃度の異なる部分を重ね合わせることにより形成し、
前記各色の同心円は、外周から内周にあるいは内周から外周に推移するほど濃い色を表すように構成したことを特徴とするカラー画像形成装置の標準濃度原稿印字方法。
【発明の詳細な説明】
【０００１】
【発明の属する技術分野】
本発明は、カラープリンタ、カラーＦＡＸ、あるいはカラー複写機等のカラー画像形成装置の標準濃度原稿印字方法に関するものである。
【０００２】
【従来の技術】
従来のカラー画像形成装置では、各色（各現像装置）毎の色濃度を補正する方法として、予め決められた標準濃度原稿（キャリブレーションページ）を印刷し、その印刷した標準濃度原稿と規定の色濃度見本（リファレンスカード）との濃度を比較し、規定の濃度と異なる場合にカラー画像形成装置またはカラー画像形成装置に接続された入力装置から濃度補正値を入力する方法で濃度補正を行っていた。
【０００３】
あるいは、高精細のカラー画像形成装置の印刷品質評価方法として、中間濃度を各色パターンで印字する方法がある。例えば、特開平５−２０４３７号公報に記載されているように、印刷濃度の濃度中間調パターン１、複数のラインで形成された線間密度が段階的に狭くなるラインパターン２、および異なる濃度の領域が段階的に描かれている濃度階調パターン３のうち、少なくとも１つのパターンを指示された色で印刷し、印刷されたパターンを評価する方法が開示されている。
【０００４】
【発明が解決しようとする課題】
ところが、従来の方法は、各色（イエロー、マゼンタ、シアン、ブラック）をそれぞれ単色で標準濃度原稿やパターンを印刷するために、色濃度見本の濃度と比較する際、その違いを評価するのはかなりの熟練を必要とするという問題があった。また、イエロー自体がもともと薄い色のため、印刷した標準濃度原稿やパターンから階調性を認識しにくいという問題があった。
【０００５】
【課題を解決するための手段】
本発明は、上記問題点に鑑みてなされたものであり、複数の現像手段を備え、色濃度見本と比較するための標準濃度原稿を印字可能なカラー画像形成装置の標準濃度原稿印字方法において、標準濃度原稿上に２以上の現像装置による混色部位を形成した状態で印字し、前記混色部位は、各色の同心円の、複数の濃度の異なる部分を重ね合わせることにより形成し、前記各色の同心円は、外周から内周にあるいは内周から外周に推移するほど濃い色を表すように構成したことを特徴とするカラー画像形成装置の標準濃度原稿印字方法としたものである。
【０００６】
【発明の実施の形態】
以下、本発明の実施例について図面を用いて説明する。
図１は、感光体ドラムユニットの各構成を示す図であり、感光体ドラム１の周囲に、感光体ドラム表面を一様に帯電する帯電手段２、感光体ドラム１上に静電潜像を形成するための露光手段３、トナーを静電潜像上に現像する現像手段４、感光体ドラム１上の現像像を中間転写ベルト１０上に転写する一次転写手段５、感光体ドラム１上の転写残トナーをクリーニングするクリーニングブレード６、感光体ドラム１上を除電する除電手段７を備えている。
【０００７】
図２は、図１に示す感光体ドラムユニットを４つ並列に配設したタンデム型カラープリンタを示す図であり、ブラック（Ｋ）、シアン（Ｃ）、マゼンタ（Ｍ）、イエロー（Ｙ）の各色毎のトナー像を形成する感光体ドラム１ａ〜１ｄを中間転写ベルト１０の進行方向に配列し、各感光体ドラム１ａ〜１ｄ上に中間転写ベルト１０の送りに同期させてトナー像を形成することで中間転写ベルト１０上に一次転写し、その後、記録媒体Ｐに二次転写ローラ１４で二次転写して定着装置１６で定着するように構成している。なお、図２において、４ａ〜４ｄはブラック（Ｋ）、シアン（Ｃ）、マゼンタ（Ｍ）、イエロー（Ｙ）の各色毎のトナーを各感光体ドラム１ａ〜１ｄに現像する現像手段内の現像ローラ、１１は中間転写ベルト１０の駆動ローラ、１２はテンションローラ、１３は二次転写ローラ１４に対向して設けられたバックアップローラ、１５は中間転写ベルト１０の二次転写残留トナーをクリーニングする弾性体ブレードである。他の図２に示す構成は、図１に示す構成と同様のものである。
【０００８】
一次転写手段５は、中間転写体ベルト１０を挟んで感光体ドラム１に圧接させ、所定のＤＣ電圧を印加して一次転写を行い、二次転写ローラ１４は、記録媒体および中間転写ベルト１０を挟んで対抗電極となるバックアップローラ１３に圧接させ、所定のＤＣ電圧を印加して二次転写を行う。また、二次転写後の中間転写ベルト１０上残トナーのクリーニングを行う弾性体ブレード１５は、中間転写体ベルト１０の回転方向に対してカウンター方式でテンションローラ１２にて支持されている部分に圧接している。
【０００９】
本発明は、このようなカラープリンタ等のカラー画像形成装置により、図３に示すような標準濃度原稿を印刷することを特徴とする。図３の２１は標準濃度原稿、２２は標準濃度原稿タイトル、２３はシアン濃度階調同心円部、２４はマゼンタ濃度階調同心円部、２５はイエロー濃度階調同心円部、２６はブラック濃度階調部、２７はシアン・マゼンタ混色部、２８はシアン・イエロー混色部、２９はマゼンタ・イエロー混色部である。
【００１０】
ここで、シアン濃度階調同心円部２３、マゼンタ濃度階調同心円部２４、イエロー濃度階調同心円部２５の印刷パターンは、外周から内周に（あるいは内周から外周に）推移するほど濃い色を表すように構成することが好ましい。このような構成で同心円の各段階を各色に対する濃度階調とする際は、カラー画像形成装置における表現可能な濃度階調と同一とする、あるいは使用者が認識しうる階調数にすることにより、濃度調整の目的に使用することができるようになる。
【００１１】
本発明は、シアン濃度階調同心円部２３、マゼンタ濃度階調同心円部２４、イエロー濃度階調同心円部２５のそれぞれが重なる混色部を形成したことを特徴とし、混色部（シアン・マゼンタ混色部２７、シアン・イエロー混色部２８、マゼンタ・イエロー混色部２９）でも印刷パターンが色の階調を構成するために、例えばイエロー単色で見るよりも見やすくなる。
【００１２】
シアン・マゼンタ混色部２７は、紫に近い色となり、その紫がシアンあるいはマゼンタに近いか否かにより順次配色が変化する。シアン・イエロー混色部２８は、緑に近い色となり、その緑がシアンあるいはイエローに近いか否かにより順次配色が変化する。マゼンタ・イエロー混色部２９は、ピンクに近い色となり、そのピンクがマゼンタあるいはイエローに近いか否かにより順次配色が変化する。このような混色部を形成することにより、濃度調整の目的に使用できるばかりでなく、各円の重なり部分により色ズレ度合いをも確認することができるようにもなる。
【００１３】
なお、ブラックは、他色と混色しても黒で表現されてしまうため、他色とは混色しない領域にブラック濃度階調部２６を形成し、ブラック単独の濃度階調の印刷パターンとするのが好ましい。
【００１４】
なお、本実施例では、各色毎に同心円状で外周から内周に（あるいは内周から外周に）推移するほど濃い色を表すように構成し、円上の一部を重ね合わせて混色部位を形成することにより、３色の混色部を効率よく形成するようにしたが、他の構成により混色部を形成するようにしてもよい。また、本実施例では、２色の混色部を設けた場合について説明したが、３色の混色部を設けるようにしてもよい。また、本実施例では１頁上で３つの混色部を形成する場合について説明したが、複数ページに分割させるようにしてもよい。
【００１５】
【発明の効果】
以上説明したように、本発明の画像形成装置によれば、標準濃度原稿上に２以上の現像装置による混色部位を形成した状態で印字することにより、わずかな濃度変化を色彩の変化に置き換えることになり、正規の色濃度見本と比較する際、その階調性を認識する精度を向上できるカラー画像形成装置の標準濃度原稿印字方法を提供することができる。
【図面の簡単な説明】
【図１】本発明のカラー画像形成装置の画像形成部を示す構成図である。
【図２】本発明のカラー画像形成装置を示す図である。
【図３】本発明の標準濃度原稿の印刷状態を示す図である。
【符号の説明】
１、１ａ〜１ｄ：感光体ドラム
２：帯電手段
３：露光手段
４：現像手段
４ａ〜４ｄ：現像ローラ
５：一次転写手段
６：クリーニングブレード
７：除電手段
１０：中間転写ベルト
１１：駆動ローラ
１２：テンションローラ
１３：バックアップローラ
１４：二次転写ローラ
１５：弾性体ブレード
１６：定着装置
２１：標準濃度原稿
２２：標準濃度原稿タイトル
２３：シアン濃度階調同心円部
２４：マゼンタ濃度階調同心円部
２５：イエロー濃度階調同心円部
２６：ブラック濃度階調部
２７：シアン・マゼンタ混色部
２８：シアン・イエロー混色部
２９：マゼンタ・イエロー混色部
【図１】
0004132024.tif 000002
【図２】
0004132024.tif 000003
【図３】
0004132024.tif 000004